(57)【要約】【課題】電子カルテシステムの操作性を向上させることのできる電子カルテ表示プログラム、電子カルテ表示装置、及び電子カルテ表示方法の提供を目的とする。【解決手段】コンピュータに、電子カルテの表示対象とする患者を選択させる選択手順と、患者ごとに診察状態を示す診察状態情報を管理する診察状態情報管理手段より、選択された患者の前記診察状態情報を取得する診察状態情報取得手順と、当該コンピュータの利用者の属性情報を前記利用者によって入力される情報又は当該コンピュータに記録された情報に基づいて判定する属性判定手順と、前記属性情報と前記診察状態情報との組み合わせに応じて電子カルテの表示内容を識別する情報を管理する表示内容管理手段に基づいて、前記選択された患者に係る前記診察状態情報及び前記利用者の属性情報に対応する表示内容を判定する表示内容判定手順と、判定された表示内容に基づく画面を表示装置に表示させる表示手順とを実行させることにより上記課題を解決する。【選択図】図２
2009223701.tif 000002
【特許請求の範囲】
【請求項１】
コンピュータに、
電子カルテの表示対象とする患者を選択させる選択手順と、
患者ごとに診察状態を示す診察状態情報を管理する診察状態情報管理手段より、選択された患者の前記診察状態情報を取得する診察状態情報取得手順と、
当該コンピュータの利用者の属性情報を前記利用者によって入力される情報又は当該コンピュータに記録された情報に基づいて判定する属性判定手順と、
前記属性情報と前記診察状態情報との組み合わせに応じて電子カルテの表示内容を識別する情報を管理する表示内容管理手段に基づいて、前記選択された患者に係る前記診察状態情報及び前記利用者の属性情報に対応する表示内容を判定する表示内容判定手順と、
判定された表示内容に基づく画面を表示装置に表示させる表示手順とを実行させるための電子カルテ表示プログラム。
【請求項２】
前記属性判定手順は、前記利用者の属する部門を前記利用者によって入力される情報又は当該コンピュータに記録された情報に基づいて判定する部門判定手順を有する請求項１記載の電子カルテ表示プログラム。
【請求項３】
前記属性判定手順は、前記利用者の職種を前記利用者によって入力される情報又は当該コンピュータに記録された情報に基づいて判定する職種判定手順を有する請求項１又は２記載の電子カルテ表示プログラム。
【請求項４】
前記属性判定手順は、前記属性情報を、各コンピュータを識別する識別情報と前記属性情報との対応情報を管理する対応情報管理手段に基づいて判定する請求項１乃至３いずれか一項記載の電子カルテ表示プログラム。
【請求項５】
電子カルテ表示装置であって、
電子カルテの表示対象とする患者を選択させる選択手段と、
患者ごとに診察状態を示す診察状態情報を管理する診察状態情報管理手段より、選択された患者の前記診察状態情報を取得する診察状態情報取得手段と、
当該電子カルテ表示装置の利用者の属性情報を前記利用者によって入力される情報又は当該電子カルテ表示装置に記録された情報に基づいて判定する属性判定手段と、
前記属性情報と前記診察状態情報との組み合わせに応じて電子カルテの表示内容を識別する情報を管理する表示内容管理手段に基づいて、前記選択された患者に係る前記診察状態情報及び前記利用者の属性情報に対応する表示内容を判定する表示内容判定手段と、
判定された表示内容に基づく画面を表示装置に表示させる表示手段とを有する電子カルテ表示装置。
【請求項６】
コンピュータが実行する電子カルテ表示方法であって、
電子カルテの表示対象とする患者を選択させる選択手順と、
患者ごとに診察状態を示す診察状態情報を管理する診察状態情報管理手段より、選択された患者の前記診察状態情報を取得する診察状態情報取得手順と、
当該コンピュータの利用者の属性情報を前記利用者によって入力される情報又は当該コンピュータに記録された情報に基づいて判定する属性判定手順と、
前記属性情報と前記診察状態情報との組み合わせに応じて電子カルテの表示内容を識別する情報を管理する表示内容管理手段に基づいて、前記選択された患者に係る前記診察状態情報及び前記利用者の属性情報に対応する表示内容を判定する表示内容判定手順と、
判定された表示内容に基づく画面を表示装置に表示させる表示手順とを有する電子カルテ表示方法。
【発明の詳細な説明】
【技術分野】
【０００１】
本発明は、電子カルテ表示プログラム、電子カルテ表示装置、及び電子カルテ表示方法に関する。
【背景技術】
【０００２】
従来、カルテを電子的に扱う電子カルテシステムが利用されている。電子カルテシステムの中には、いわゆる診療記録に関する書類（狭義の電子カルテ）のみならず、検査オーダや他科依頼（他の診療科への診察の依頼）等に関する書類（広義の電子カルテ）をも電子的に管理可能なものもある。広義の電子カルテを管理可能な電子カルテシステムの場合、利用者は記録が必要な書類を作成するための画面を表示させ、当該画面に対して入力を行うことにより電子カルテを作成する。
【特許文献１】特開２００２−９２５３７号公報
【発明の開示】
【発明が解決しようとする課題】
【０００３】
しかしながら、記録が必要な書類又はその形式は、患者の診察状態に応じて異なる。また、患者の診察状態が同じ場合であっても、診療科（内科や外科等の別）に応じて異なりうる。更に、利用者の職種（医師、看護師、検査技師等の別）に応じて異なる場合もある。したがって、利用者は、これらの組み合わせを考慮して適切な書類を選択するといった煩雑な作業が要求されるという問題があった。
【０００４】
本発明は、上記の点に鑑みてなされたものであって、電子カルテシステムの操作性を向上させることのできる電子カルテ表示プログラム、電子カルテ表示装置、及び電子カルテ表示方法の提供を目的とする。
【課題を解決するための手段】
【０００５】
そこで上記課題を解決するため、電子カルテ表示プログラムは、コンピュータに、電子カルテの表示対象とする患者を選択させる選択手順と、患者ごとに診察状態を示す診察状態情報を管理する診察状態情報管理手段より、選択された患者の前記診察状態情報を取得する診察状態情報取得手順と、当該コンピュータの利用者の属性情報を前記利用者によって入力される情報又は当該コンピュータに記録された情報に基づいて判定する属性判定手順と、前記属性情報と前記診察状態情報との組み合わせに応じて電子カルテの表示内容を識別する情報を管理する表示内容管理手段に基づいて、前記選択された患者に係る前記診察状態情報及び前記利用者の属性情報に対応する表示内容を判定する表示内容判定手順と、判定された表示内容に基づく画面を表示装置に表示させる表示手順とを実行させる。
【０００６】
このような電子カルテ表示プログラムでは、電子カルテシステムの操作性を向上させることができる。
【発明の効果】
【０００７】
本発明によれば、電子カルテシステムの操作性を向上させることのできる電子カルテ表示プログラム、電子カルテ表示装置、及び電子カルテ表示方法を提供することができる。
【発明を実施するための最良の形態】
【０００８】
以下、図面に基づいて本発明の実施の形態を説明する。図１は、本発明に実施の形態における電子カルテシステムの構成例を示す図である。同図において、電子カルテシステム１は、一台以上の利用者端末１０と電子カルテサーバ２０とを有する。各利用者端末１０と電子カルテサーバ２０とは、ＬＡＮ（Local Area Network）又はインターネット等のネットワーク３０（有線又は無線の別は問わない。）によって接続されている。
【０００９】
利用者端末１０は、電子カルテの入力（作成）や閲覧に利用されるＰＣ（Personal Computer）等のコンピュータである。例えば、利用者端末１０は、医療行為が行われる部門若しくは場所（例えば、診療科ごとの診療室、検査室、処置室等。以下、「部門」によって総称する。）ごと又は利用者ごとに設置される。
【００１０】
電子カルテサーバ３０は、電子カルテに関する各種の情報を一元管理するコンピュータである。なお、本実施の形態において「電子カルテ」とは広義の電子カルテを意味する。すなわち、本実施の電子カルテは、いわゆる診療記録に関する書類（狭義の電子カルテ）のみならず、検査オーダや他科依頼（他の診療科への診察の依頼）等、診察現場において発生する各種の書類であって、その情報が電子カルテサーバ２０によって管理されるものをも含む。また、本実施の形態では、電子カルテとして扱われる各種の書類を便宜上「台紙」という。
【００１１】
図２は、本発明の実施の形態における電子カルテシステムの機能構成例を示す図である。同図において、電子カルテサーバ２０は、受付ＤＢ２１、端末マスタ２２、台紙定義マスタ２３、台紙マスタ２４、及び電子カルテＤＢ２５等を有する。これらは、電子カルテサーバ２０の記憶装置に記録された情報を管理する。
【００１２】
受付ＤＢ２１は、診察の受け付けが行われた患者情報（患者の診察状態を示す情報も含む。）の一覧を管理する。受付ＤＢ２１には、いわゆる病院の受け付けにおいて行われる受け付けのみならず、他の診療科への診察の依頼（他科依頼）や、検査オーダ等が発行された場合にも当該他の診療科や検査室等に対する受け付けとして、その患者情報が登録される。
【００１３】
端末マスタ２２は、各利用者端末１０が設置された部門（医療行為が行われる部門）を示す情報を管理する。台紙定義マスタ２３は、医療行為が行われる部門、患者の診察状態、及び職種（医師、看護師、検査技師等の別）の組み合わせに応じて表示対象とする台紙を識別するための情報を管理する。台紙マスタ２４は、台紙の種類ごとにその表示内容を示す情報を管理する。電子カルテＤＢ２５は、台紙を介して入力された電子カルテ情報を管理する。
【００１４】
利用者端末１０は、職種判定部１１、一覧表示部１２、診察状態取得部１３、部門判定部１４、台紙判定部１５、及び台紙表示部１６等を有する。
【００１５】
職種判定部１１は、利用者端末１０の利用者の職種を判定する。一覧表示部１２は、受付ＤＢ２１に登録されている患者情報の一覧を表示装置に表示させる。診察状態取得部１３は、表示された一覧において選択された患者の患者情報より診察状態を示す情報（以下、「診察状態情報」という。）を抽出する。部門判定部１４は、端末マスタ２２に基づいて、利用者端末１０の利用者が属する部門（利用者が属する診療科、検査室、又は処置室等）を判定する。
【００１６】
台紙判定部１５は、患者の診察状態情報、及び利用者の属性（利用者の職種、利用者が属する部門（診療科、検査室、処置室等））に応じた台紙を台紙マスタ２４に基づいて判定する。台紙表示部１６は、台紙マスタ２４によって判定された台紙の表示内容を台紙マスタ２４より取得し、当該台紙の画面（台紙入力フォーム）を表示装置に表示させる。台紙表示部１６は、また、表示された台紙入力フォームを介して入力された情報を電子カルテＤＢ２５や受付ＤＢ２１に登録する。
【００１７】
図３は、本発明の実施の形態における利用者端末のハードウェア構成例を示す図である。図３の利用者端末１０は、それぞれバスBで相互に接続されているドライブ装置１００と、補助記憶装置１０２と、メモリ装置１０３と、ＣＰＵ１０４と、インタフェース装置１０５と、表示装置１０６と、入力装置１０７とを有するように構成される。
【００１８】
利用者端末１０での処理を実現するプログラムは、ＣＤ−ＲＯＭ等の記録媒体１０１によって提供される。プログラムを記録した記録媒体１０１がドライブ装置１００にセットされると、プログラムが記録媒体１０１からドライブ装置１００を介して補助記憶装置１０２にインストールされる。補助記憶装置１０２は、インストールされたプログラムを格納すると共に、必要なファイルやデータ等を格納する。
【００１９】
メモリ装置１０３は、プログラムの起動指示があった場合に、補助記憶装置１０２からプログラムを読み出して格納する。ＣＰＵ１０４は、メモリ装置１０３に格納されたプログラムに従って利用者端末１０に係る機能を実現する。インタフェース装置１０５は、ネットワークに接続するためのインタフェースとして用いられる。表示装置１０６はプログラムによるＧＵＩ（Graphical User Interface）等を表示する。入力装置１０７はキーボード及びマウス等で構成され、様々な操作指示を入力させるために用いられる。
【００２０】
なお、プログラムのインストールは必ずしも記録媒体１０１より行う必要はなく、ネットワークを介して他のコンピュータよりダウンロードするようにしてもよい。
【００２１】
以下、利用者端末１０の処理手順について説明する。図４は、利用者端末による台紙の表示処理の処理手順を説明するためのフローチャートである。当該処理手順は、例えば、医師が患者を診察する際、看護師が看護を行う際、検査技師が検査を行う際等に実行される。
【００２２】
ステップＳ１０１において、職種判定部１１は、ログイン画面を表示させ、当該ログイン画面を介して利用者情報（当該医師、看護師、又は検査技師等のユーザ名等）の入力を受け付ける。続いて、職種判定部１１は、入力された利用者情報に基づいて利用者の職種を判定する（Ｓ１０２）。当該判定は、例えば、利用者ごとに職種が登録された情報に基づいて行われる。当該情報は、利用者端末１０又は電子カルテサーバ２０の記憶装置に記録されていればよい。なお、利用者と利用者端末１０との関係が１対１である場合、各利用者端末１０の補助記憶装置１０２に当該利用者端末１０の利用者の職種を示す情報が記録されていてもよいし、利用者端末１０と職種との対応関係が電子カルテサーバ２０の記憶装置に記録されていてもよい。職種判定部１１は、当該情報に基づいて利用者の職種を判定すればよい。更に、利用者に職種を入力又は選択させるようにしてもよい。
【００２３】
続いて、一覧表示部１２は、患者情報の一覧を受付ＤＢ２１より取得し、患者情報の一覧画面を表示装置１０６に表示させる（Ｓ１０３）。
【００２４】
図５は、受付ＤＢの構成例を示す図である。同図において、受付ＤＢ２１は、受け付けられた患者ごとに、患者ＩＤ、受付時間、初再診区分、受付科、トリアージ状態、及び検査結果等の患者情報を管理する。患者ＩＤは、患者を一意に識別するＩＤである。受付時間は、受け付けが行われた時間である。初再診区分は、初診であるか再診であるかを示す。受付科は、受け付けの対象とされた部門を示す。トリアージ状態は、患者対して行われている医療行為の現在の状況を示す。検査結果は、検査の進捗状況を示す。
【００２５】
なお、一覧画面には、利用者の所属に係る部門に係る患者の一覧のみを表示させるようにしてもよい。当該部門は、端末マスタ２２に基づいて判定すればよい。
【００２６】
続いて、一覧画面表示部１２が、一覧画面に表示された患者の中から医療行為の対象とされる患者の選択を利用者より受け付けると（Ｓ１０４でＹｅｓ）、診療状態取得部１３は、選択された患者の診察状態を示す情報（診療状態情報）を当該患者の患者情報より抽出する（Ｓ１０５）。本実施の形態では、受付ＤＢ２１に管理されている患者情報のうち、初再診区分、トリアージ状態、及び検査結果が診療状態情報に含まれる。
【００２７】
続いて、部門判定部１４は、端末マスタ２２に基づいて当該利用者端末１０の属する（利用者が属する）部門を判定する（Ｓ１０６）。
【００２８】
図６は、端末マスタの構成例を示す図である。同図において、端末マスタ２２は、利用者端末１０ごとに、端末ＩＤ、ＩＰアドレス、及び部門等を管理する。端末ＩＤは、例えばホスト名等、各利用者端末１０に割り当てられているＩＤである。部門は、利用者端末１０が属する部門である。
【００２９】
したがって、部門判定部１４は、当該利用者端末１０の補助記憶装置１０２に記録されている端末ＩＤ又はＩＰアドレスに対応する部門を端末マスタ２２より検索することにより、利用者が属する部門を判定する。
【００３０】
続いて、台紙判定部１５は、台紙定義マスタ２３に基づいて、表示させるべき台紙を判定する（Ｓ１０７）。
【００３１】
図７は、台紙定義マスタの構成例を示す図である。同図において、台紙定義マスタ２３は、部門、診察状態、及び職種等の組み合わせごとに表示対象とする台紙の台紙名を管理する。診察状態は、＜初再診区分＞：＜トリアージ状態＞：＜検査結果＞（＜＞は、その値を表現する。）の形式によって（すなわち、診察状態情報を構成する３つのパラメータの値の組み合わせによって）定義されている。また、各パラメータの値には「＊」の指定が可能である。「＊」は、当該パラメータについては特定しないことを示す。
【００３２】
したがって、台紙判定部１５は、職種判定部１１によって判定された職種、診察状態取得部１３によって取得された診察状態情報、及び部門判定部１４によって判定された部門に対応する台紙名を台紙定義マスタ２３より検索する。なお、ここでは、複数の台紙名が検索されうる。
【００３３】
続いて、台紙表示部１６は、台紙判定部１５によって検索された台紙名に基づいて、当該台紙の表示内容を示す情報（表示情報）を台紙マスタ２４より取得する（Ｓ１０８）。
【００３４】
図８は、台紙マスタの構成例を示す図である。同図において、台紙マスタ２４には、台紙名に関連付けて、タグ名及び出現順等が登録されている。タグ名は、台紙における入力項目の項目名に相当する。出現順は、台紙における項目の配列順を示す。
【００３５】
したがって、台紙表示部１６は、台紙判定部１５によって検索された台紙名に関連付けられている全てのタグ名及び出現順等を表示情報として台紙マスタ２４より取得する。複数の台紙名が検索されている場合、複数の台紙に関する表示情報が取得される。
【００３６】
続いて、台紙表示部１６は、取得された表示情報に基づいて一つ又は複数の台紙入力フォームを生成し、表示装置１０６に表示させる（Ｓ１０９）。ここで、台紙入力フォームは、例えば、予め生成されているテンプレート（雛形）に基づいて生成されてもよい。当該テンプレートは、台紙ごとに異なる部分（例えば、項目名）の部分が空欄となっていればよい。台紙表示部１６は、斯かるテンプレートに対して表示情報に含まれるタグ名をその出現順に項目名として当てはめることにより台紙入力フォームを生成する。
【００３７】
続いて、利用者によって台紙入力フォームに対して入力が行われると（Ｓ１１０）、台紙表示部１６は、入力された情報を電子カルテＤＢ２５や受付ＤＢ２１等に登録する（Ｓ１１１）。例えば、他科依頼や検査オーダが発行された場合、当該他科又は当該検査室を受付科として患者情報が受付ＤＢ２１に登録される。
【００３８】
続いて、表示される台紙入力フォームの具体例について説明する。まず、図５の受付ＤＢ２１において１行目の患者、すなわち、診察状態情報が「初診：内科：検体受付」である患者について内科の医師が診察行う場合について説明する。この場合、図７の台紙定義マスタ２３において、診察状態が当該診察状態情報に合致し、部門が「内科」、職種が「医師」に該当するレコードに係る台紙名は、「内科初診台紙」（第１レコード）と「プログレスノート」（第４レコード）である。したがって、ステップＳ１０７では、「内科初診台紙」及び「プログレスノート」の二つの台紙が表示対象として判定される。そこで、ステップＳ１０８では、「内科初診台紙」及び「プログレスノート」のそれぞれの表示情報が台紙マスタ２４より取得され、二つの台紙入力フォームが表示される。その結果、利用者である医師は、当該患者に関して「内科初診台紙」及び「プログレスノート」の入力が必要であることを認識できる。
【００３９】
図９は、内科初診台紙の入力フォームの表示例を示す図である。内科初診台紙は、内科の初診患者について来院理由等、診察前の基本的な情報を入力するための台紙である。同図の内科初診台紙入力フォーム５１０は、図８の台紙マスタ２４に基づいて、主訴、現病歴、及び既往歴等の入力項目を有する。
【００４０】
図１０は、プログレスノートの入力フォームの表示例を示す図である。プログレスノートは、いわゆる狭義の電子カルテである。同図のプログレスノート入力フォーム５２０は、台紙マスタ２４に基づいて、Ｓｕｂｊｅｃｔｉｖｅ、Ｏｂｊｅｃｔｉｖｅ、Ａｓｓｅｓｓｍｅｎｔ、Ｐｌａｎ、及びＯｒｄｅｒ等の入力項目を有する。
【００４１】
また、図５の受付ＤＢ２１において１行目の患者について中央検査部の検査技師が検査を行う場合について説明する。この場合、図７の台紙定義マスタ２３において、診察状態が「初診：内科：検体受付」に合致し、部門が「中央検査部」、職種が「検査技師」に該当するレコードに係る台紙名は、「結果報告書」（第２レコード）である。したがって、ステップＳ１０７では、「結果報告書」が表示対象として判定される。そこで、ステップＳ１０８では、「結果報告書」の表示情報が台紙マスタ２４より取得され、結果報告書の入力フォームが表示される。その結果、利用者である検査技師は、当該患者に関して「結果報告書」の入力が必要であることを認識できる。
【００４２】
図１１は、結果報告書の入力フォームの表示例を示す図である。結果報告書は、検査結果を入力するための台紙である。同図の結果報告書入力フォーム５３０は、台紙マスタ２４に基づいて、報告内容及び結果判定等の入力項目を有する。
【００４３】
また、図５の受付ＤＢ２１において３行目の患者について外科の医師が診察を行う場合について説明する。この場合、図７の台紙定義マスタ２３において、診察状態が「再診：他科依頼：結果報告」に合致し、部門が「外科」、職種が「医師」に該当するレコードに係る台紙名は、「他科依頼返信台紙」（第３レコード）と「プログレスノート」（第４レコード）である。したがって、ステップＳ１０７では、「他科依頼返信台紙」及び「プログレスノート」の二つの台紙が表示対象として判定される。そこで、ステップＳ１０８では、「他科依頼返信台紙」及び「プログレスノート」のそれぞれの表示情報が台紙マスタ２４より取得され、二つの台紙入力フォームが表示される。その結果、利用者である医師は、当該患者に関して「他科依頼返信台紙」及び「プログレスノート」の入力が必要であることを認識できる。
【００４４】
図１２は、他科依頼返信台紙の入力フォームの表示例を示す図である。他科依頼返信台紙とは、他科依頼を受けた診療科において、依頼元に対する返信を入力するための台紙である。したがって、他科依頼返信台紙入力フォーム５４０が表示されることで、当該医師は、当該患者が他科依頼に係る患者であることを認識することができる。なお、同図の他科依頼返信台紙入力フォーム５４０は、台紙マスタ２４に基づいて、お返事等の項目を有する。
【００４５】
また、看護師が、いずれかの患者について看護（処置等）を行う場合について説明する。この場合、図７の台紙定義マスタ２３に基づいて、「看護記録」が表示対象として判定される。そこで、ステップＳ１０８では、「看護記録」の表示情報が台紙マスタ２４より取得され、看護記録の入力フォームが表示される。その結果、利用者である看護師は、当該患者に関して「看護記録」の入力が必要であることを認識できる。
【００４６】
図１３は、看護記録の入力フォームの表示例を示す図である。看護記録は、看護師による看護結果に基づく情報が入力される台紙である。同図の看護記録入力フォーム５５０は、台紙マスタ２４に基づいて、看護診断及び看護計画等の項目を有する。
【００４７】
上述したように、本実施の形態における電子カルテシステム１によれば、患者の診察状態、医療行為を行う部門、及び医療行為を行う者の職種等に応じて表示対象とする台紙が自動的に判定され、自動的に表示される。したがって、従来、利用者に課せられていた、どのような台紙を入力すべきかといった判断負担や、当該台紙を表示させるための作業負担等を軽減させることができる。また、入力すべき台紙が強制的に表示されるため、台紙の記入漏れ等を防止することができ、電子カルテシステム１を導入したことによる運用ルールの遵守を各利用者に徹底させることができる。
【００４８】
以上、本発明の実施例について詳述したが、本発明は斯かる特定の実施形態に限定されるものではなく、特許請求の範囲に記載された本発明の要旨の範囲内において、種々の変形・変更が可能である。
【００４９】
以上の説明に関し、更に以下の項を開示する。
（付記１）
コンピュータに、
電子カルテの表示対象とする患者を選択させる選択手順と、
患者ごとに診察状態を示す診察状態情報を管理する診察状態情報管理手段より、選択された患者の前記診察状態情報を取得する診察状態情報取得手順と、
当該コンピュータの利用者の属性情報を前記利用者によって入力される情報又は当該コンピュータに記録された情報に基づいて判定する属性判定手順と、
前記属性情報と前記診察状態情報との組み合わせに応じて電子カルテの表示内容を識別する情報を管理する表示内容管理手段に基づいて、前記選択された患者に係る前記診察状態情報及び前記利用者の属性情報に対応する表示内容を判定する表示内容判定手順と、
判定された表示内容に基づく画面を表示装置に表示させる表示手順とを実行させるための電子カルテ表示プログラム。
（付記２）
前記属性判定手順は、前記利用者の属する部門を前記利用者によって入力される情報又は当該コンピュータに記録された情報に基づいて判定する部門判定手順を有する付記１記載の電子カルテ表示プログラム。
（付記３）
前記属性判定手順は、前記利用者の職種を前記利用者によって入力される情報又は当該コンピュータに記録された情報に基づいて判定する職種判定手順を有する付記１又は２記載の電子カルテ表示プログラム。
（付記４）
前記属性判定手順は、前記属性情報を、各コンピュータを識別する識別情報と前記属性情報との対応情報を管理する対応情報管理手段に基づいて判定する付記１乃至３いずれか一項記載の電子カルテ表示プログラム。
（付記５）
前記診察状態情報は、初診であるか否かを示す情報を含む付記１乃至４いずれか一項記載の電子カルテ表示プログラム。
（付記６）
電子カルテ表示装置であって、
電子カルテの表示対象とする患者を選択させる選択手段と、
患者ごとに診察状態を示す診察状態情報を管理する診察状態情報管理手段より、選択された患者の前記診察状態情報を取得する診察状態情報取得手段と、
当該電子カルテ表示装置の利用者の属性情報を前記利用者によって入力される情報又は当該電子カルテ表示装置に記録された情報に基づいて判定する属性判定手段と、
前記属性情報と前記診察状態情報との組み合わせに応じて電子カルテの表示内容を識別する情報を管理する表示内容管理手段に基づいて、前記選択された患者に係る前記診察状態情報及び前記利用者の属性情報に対応する表示内容を判定する表示内容判定手段と、
判定された表示内容に基づく画面を表示装置に表示させる表示手段とを有する電子カルテ表示装置。
（付記７）
コンピュータが実行する電子カルテ表示方法であって、
電子カルテの表示対象とする患者を選択させる選択手順と、
患者ごとに診察状態を示す診察状態情報を管理する診察状態情報管理手段より、選択された患者の前記診察状態情報を取得する診察状態情報取得手順と、
当該コンピュータの利用者の属性情報を前記利用者によって入力される情報又は当該コンピュータに記録された情報に基づいて判定する属性判定手順と、
前記属性情報と前記診察状態情報との組み合わせに応じて電子カルテの表示内容を識別する情報を管理する表示内容管理手段に基づいて、前記選択された患者に係る前記診察状態情報及び前記利用者の属性情報に対応する表示内容を判定する表示内容判定手順と、
判定された表示内容に基づく画面を表示装置に表示させる表示手順とを有する電子カルテ表示方法。
【図面の簡単な説明】
【００５０】
【図１】本発明に実施の形態における電子カルテシステムの構成例を示す図である。
【図２】本発明の実施の形態における電子カルテシステムの機能構成例を示す図である。
【図３】本発明の実施の形態における利用者端末のハードウェア構成例を示す図である。
【図４】利用者端末による台紙の表示処理の処理手順を説明するためのフローチャートである。
【図５】受付ＤＢの構成例を示す図である。
【図６】端末マスタの構成例を示す図である。
【図７】台紙定義マスタの構成例を示す図である。
【図８】台紙マスタの構成例を示す図である。
【図９】内科初診台紙の入力フォームの表示例を示す図である。
【図１０】プログレスノートの入力フォームの表示例を示す図である。
【図１１】結果報告書の入力フォームの表示例を示す図である。
【図１２】他科依頼返信台紙の入力フォームの表示例を示す図である。
【図１３】看護記録の入力フォームの表示例を示す図である。
【符号の説明】
【００５１】
１            電子カルテシステム
１０          利用者端末
１１          職種判定部
１２          一覧表示部
１３          診察状態取得部
１４          部門判定部
１５          台紙判定部
１６          台紙表示部
２０          電子カルテサーバ
２１          受付ＤＢ
２２          端末マスタ
２３          台紙定義マスタ
２４          台紙マスタ
２５          電子カルテＤＢ
３０          ネットワーク
１００        ドライブ装置
１０１        記録媒体
１０２        補助記憶装置
１０３        メモリ装置
１０４        ＣＰＵ
１０５        インタフェース装置
１０６        表示装置
１０７        入力装置
Ｂ            バス
【図１】
2009223701.tif 000003
【図２】
2009223701.tif 000004
【図３】
2009223701.tif 000005
【図４】
2009223701.tif 000006
【図５】
2009223701.tif 000007
【図６】
2009223701.tif 000008
【図７】
2009223701.tif 000009
【図８】
2009223701.tif 000010
【図９】
2009223701.tif 000011
【図１０】
2009223701.tif 000012
【図１１】
2009223701.tif 000013
【図１２】
2009223701.tif 000014
【図１３】
2009223701.tif 000015